(57)【特許請求の範囲】
【請求項１】
上面が開口された収容凹部の周縁に鍔部が設けられた容器本体と、水溶性高分子及び水を含んでゲル化されて上記の収容凹部内に収容される保水ゲルと、この保水ゲルを保持する支持シートと、上記の保水ゲルと支持シートとを上記の収容凹部内に収容させた状態で収容凹部の開口を閉塞する蓋材とを有し、上記の支持シートが収容凹部の開口側における保水ゲルの上面に設けられて折り返された状態で上記の収容凹部内に収容されてなることを特徴とする携帯型パッド材。
【請求項２】
上面が開口された収容凹部の周縁に鍔部が設けられた容器本体と、水溶性高分子及び水を含んでゲル化されて上記の収容凹部内に収容される保水ゲルと、この保水ゲルを保持する支持シートと、上記の保水ゲルと支持シートとを上記の収容凹部内に収容させた状態で収容凹部の開口を閉塞する蓋材とを有し、上記の支持シートが収容凹部内の底部から開口側における保水ゲルの上面に至るように設けられた状態で上記の収容凹部内に収容されてなることを特徴とする携帯型パッド材。
【請求項３】
請求項１又は請求項２に記載した携帯型パッド材において、上記の蓋材が気密フィルムで構成され、この蓋材が容器本体における収容凹部の開口を密封するようにして上記の鍔部に剥離可能に取り付けられてなることを特徴とする携帯型パッド材。
【請求項４】
請求項１〜３の何れか１項に記載した携帯型パッド材において、上記の支持シートの外縁部に固定用粘着層が設けられてなることを特徴とする携帯型パッド材。
【請求項５】
請求項４に記載した携帯型パッド材において、上記の支持シートの外縁部に設けられた固定用粘着層に剥離可能なライナが設けられてなることを特徴とする携帯型パッド材。
【発明の詳細な説明】
【０００１】
【発明の属する技術分野】
本発明は、製造、流通、使用が簡単かつ簡便で、保冷・保湿作用を奏したり、保温媒体や有効成分の徐放的補給媒体として機能する携帯型パッド材に係り、特に、収容凹部の上面が開口された容器本体と、水溶性高分子及び水を含んでゲル化されて上記の収容凹部内に収容される保水ゲルと、この保水ゲルを保持する支持シートと、上記の保水ゲルと支持シートとを上記の収容凹部内に収容させた状態で収容凹部の開口を閉塞する蓋材とを有する携帯型パッド材において、長時間使用できるように上記の保水ゲルの量を多くしても、この保水ゲルが人体の貼付部位に安定して貼付されるようにした点とに特徴を有するものである。
【０００２】
【従来の技術】
近年、人体の発熱に対する氷嚢や氷枕の代わりに、不織布等で構成された支持シートに、水溶性高分子に水を含有させてゲル化させた保水ゲルを設けたパッド材が用いられるようになり、またこのようなパッド材を簡単に携帯，保管して、様々な場所で使用できるようにするため、上記のパッド材をアルミラミネートフィルム等で構成された袋体内に密封した携帯型パッド材が用いられるようになった。
【０００３】
そして、上記のような携帯型パッド材を製造するにあたっては、通常、支持シートの上に、水溶性高分子に水が含有されてゲル化される保水ゲルを塗布した後、この保水ゲルの表面に剥離用フィルムを貼着し、これを適当な大きさにカッティングして袋体内に密封させるようにしている。
【０００４】
ここで、上記のように支持シートの上に塗布により保水ゲルを形成する場合、支持体上に塗布できる保水ゲルの量が限られ、さらに携帯性を優先させる場合には、保水ゲルの量が少なくなり、これに伴って、保冷・保湿作用の持続時間が短くなるという欠点があった。
【０００５】
このため、近年においては、支持シートに保水ゲルを保持させたパッド材を適当な深さの容器本体内に収容させるようにし、パッド材における保水ゲルの量を多くすることが行われるようになった。
【０００６】
しかし、このようにパッド材における保水ゲルの量を多くすると、この保水ゲルの重量が大きくなり、このパッド材を額等の人体における適当な貼付部位に貼付した場合に貼付部位から簡単に剥離するという問題が生じた。
【０００７】
【発明が解決しようとする課題】
本発明は、収容凹部の上面が開口された容器本体と、水溶性高分子及び水を含んでゲル化されて上記の収容凹部内に収容される保水ゲルと、この保水ゲルを保持する支持シートと、上記の保水ゲルと支持シートとを上記の収容凹部内に収容させた状態で収容凹部の開口を閉塞する蓋材とを有する携帯型パッド材において、保水ゲルの量を多くした場合においても、この保水ゲルを人体の適当な貼付部位に簡単に安定して貼付されるようにすることを課題とするものである。
【０００８】
そして、本出願人は、先の出願である特願２００１−５２７１５号における携帯型保水ゲル材の発明において、支持シートを保水ゲルよりも大きくすると共に、この支持シートの外縁部に固定用接着層を設け、この固定用接着層を貼付部位に接着させて、保水ゲルが貼付部位に安定して貼付されるようにしたものを提案している。
【０００９】
しかし、上記の出願における携帯型保水ゲル材において、保水ゲルの量が多くなって保水ゲルが厚くなった場合に、この保水ゲルを貼付部位に安定して貼付させるためには、支持シートにおける上記の固定用接着層の部分を大きくする必要があり、これに伴って容器本体の鍔部等を大きくしなければならず、容器本体が大きくなって、製造コストが高く付くと共に携帯や保管が面倒になるという問題がある。
【００１０】
そして、本発明は、先の出願における上記のような問題をも解決することを課題とするものである。
【００１１】
【課題を解決するための手段】
本願の請求項１における携帯型パッド材の発明においては、上記のような課題を解決するため、上面が開口された収容凹部の周縁に鍔部が設けられた容器本体と、水溶性高分子及び水を含んでゲル化されて上記の収容凹部内に収容される保水ゲルと、この保水ゲルを保持する支持シートと、上記の保水ゲルと支持シートとを上記の収容凹部内に収容させた状態で収容凹部の開口を閉塞する蓋材とを有し、上記の支持シートが収容凹部の開口側における保水ゲルの上面に設けられて折り返された状態で上記の収容凹部内に収容されてなることを特徴とする携帯型パッド材を開発した。
【００１２】
また、本願の請求項２における携帯型パッド材の発明においては、上記のような課題を解決するため、上面が開口された収容凹部の周縁に鍔部が設けられた容器本体と、水溶性高分子及び水を含んでゲル化されて上記の収容凹部内に収容される保水ゲルと、この保水ゲルを保持する支持シートと、上記の保水ゲルと支持シートとを上記の収容凹部内に収容させた状態で収容凹部の開口を閉塞する蓋材とを有し、上記の支持シートが収容凹部内の底部から開口側における保水ゲルの上面に至るように設けられた状態で上記の収容凹部内に収容されてなることを特徴とする携帯型パッド材を開発した。
【００１３】
ここで、本願の請求項１，２における各携帯型パッド材においては、水溶性高分子及び水を含んでゲル化する保水ゲルを、上記の容器本体の収容凹部内に充填させてゲル化させることができ、この収容凹部の深さを調節することにより所望の厚さの保水ゲルが得られるようになり、長時間使用できるように保水ゲルの量を多くすることも簡単に行える。
【００１４】
また、この請求項１における携帯型パッド材において、保水ゲルがゲル化される前に、支持シートを収容凹部の開口側における保水ゲルの上面に設けることにより、保水ゲルがゲル化される際にこの支持シートが保水ゲルに係着されるようになり、この支持シートを持って保水ゲルを容器本体の収容凹部内から簡単に取り出すことができるようになる。
【００１５】
さらに、この請求項１における携帯型パッド材においては、保水ゲルの上面に設けられた上記の支持シートを折り返すようにしたため、この折り返す部分の長さを調整することによって支持シートの大きさを調整することができ、容器本体を大きくしなくても、折り返す部分の長さを長くすることによって支持シートを大きくすることができる。
【００１６】
この結果、この請求項１における携帯型パッド材においては、支持シートを大きくするために、容器本体を大きくする必要がなく、製造コストが低減されると共に、携帯や保管も簡単になる。
【００１７】
また、本願の請求項２における携帯型パッド材の発明においては、上記の支持シートが収容凹部内の底部から開口側における保水ゲルの上面に至るように設けているため、保水ゲルの上面に導かれた支持シートを持って保水ゲルを容器本体の収容凹部内から簡単に取り出すことができるようになる。
【００１８】
また、上記のように支持シートが収容凹部内の底部から開口側における保水ゲルの上面に至るように設けると、保水ゲルの上面に導かれる支持シートの長さを調整することによって、支持シートの大きさを調整することができ、容器本体を大きくしなくても、保水ゲルの上面に導かれる支持シートの長さを長くすることによって支持シートを大きくすることができる。
【００１９】
この結果、請求項２における携帯型パッド材においても、支持シートを大きくするために、容器本体を大きくする必要がなく、製造コストが低減されると共に、携帯や保管も簡単になる。
【００２０】
さらに、請求項１，２における各携帯型パッド材において、上記のように支持シートを大きくすると、貼付部位にこの支持シートを巻き付けて、支持シートの端部相互を係止させるようにしたり、またこの支持シートの外縁部に設ける固定用粘着層を大きくして貼付部位に接着させることができ、保水ゲルの量を多くした場合においても、この保水ゲルが支持シートによって貼付部位に確実に固定されるようになる。
【００２１】
また、上記のように支持シートの外縁部に固定用粘着層を設ける場合において、この固定用粘着層に剥離可能なライナを設けると、固定用粘着層が蓋材に接着されたり、固定用粘着層が保水ゲルに接触して粘着性が悪くなったりするのが抑制される。
【００２２】
【発明の実施の形態】
以下、この発明の実施形態に係る携帯型パッド材を添付図面に基づいて具体的に説明する。
【００２３】
（実施形態１）
この実施形態１における携帯型パッド材においては、図１に示すように、上面が開口された収容凹部１１の周囲に鍔部１２が設けられた容器本体１０を用い、この容器本体１０における収容凹部１１内に、水溶性高分子及び水を含んでゲル化される保水ゲル２０を収容させるようにしている。
【００２４】
また、図１及び図２に示すように、この保水ゲル２０より長辺部の長さが長くなった支持シート３０を用い、この支持シート３０を収容凹部１１の開口側における保水ゲル２０の上面に設けると共に、保水ゲル２０より長くなった支持シート３０の長辺側の両側部を上方に折り返し、このように折り返された支持シート３０の両端部の上面側にそれぞれ固定用粘着層３１を設けると共に、各固定用粘着層３１に剥離可能なライナ３２を設けている。なお、この実施形態においては、支持シート３０の長辺部を保水ゲル２０の長辺部より長くするにあたり、上記のように支持シート３０の長辺側の両側部を上方に折り返した場合に、この支持シート３０の両端部が接合する程度の長さにしているが、この支持シート３０の長さは特に限定されず、折り返した部分が接合しない程度の長さであっても、また折り返した部分が重なり合うような長さであってもよい。
【００２５】
そして、このように容器本体１０の収容凹部１１内に保水ゲル２０と支持シート３０とを収容させた状態で、気密フィルムからなる蓋材４０を収容凹部１１の開口の周囲に設けられた鍔部１２に取り付け、この蓋材４０によって収容凹部１１の開口を密封するようにしている。
【００２６】
ここで、この実施形態１の携帯型パッド材においては、上記のように支持シート３０の両端部における固定用粘着層３１にそれぞれライナ３２を取り付けているため、固定用粘着層３１によってこの支持シート３０が蓋材４０に接着されるのが防止される。
【００２７】
また、上記のように気密フィルムからなる蓋材４０を収容凹部１１の開口の周囲に設けられた鍔部１２に取り付けて収容凹部１１の開口を密封すると、保水ゲル２０における水分等が外部に放出されるのが防止される。
【００２８】
そして、このように容器本体１０の収容凹部１１内に収容させた保水ゲル２０を使用する場合においては、図２に示すように、気密フィルムからなる蓋材４０を鍔部１２から剥離させて容器本体１０の収容凹部１１を開口させ、この収容凹部１１内に収容された上記の支持シート３０を持って保水ゲル２０をこの収容凹部１１内から取り出すようにする。
【００２９】
次いで、このように取り出した保水ゲル２０を、図３に示すように、貼付部位Ｐに付着させると共に、上記の支持シート３０の両端部における固定用粘着層３１に取り付けられたライナ３２を剥離させ、この支持シート３０の両端部における固定用粘着層３１を貼付部位Ｐに接着させるようにする。
【００３０】
ここで、このように保水ゲル２０を貼付部位Ｐに付着させると共に、上記の支持シート３０の両端部における固定用粘着層３１を貼付部位Ｐに接着させると、長時間使用できるように保水ゲル２０の量を多くした場合においても、この保水ゲル２０が上記の支持シート３０によって貼付部位Ｐに確実に固定されるようになる。
【００３１】
ここで、上記の容器本体１０としては、上記のように保水ゲル２０や支持シート３０を収容させる収容凹部１１を有するものであればよく、その形状は特に限定されず、成形性・携帯性・流通性・意匠性・経済性等の諸点から適宜選択される。
【００３２】
また、容器本体１０を構成する材質としては、射出成形、真空成形、圧空成形等が可能な熱可塑性樹脂を用いることが好ましいが、別段これに限定されるものではない。また、収容凹部１１に収容させる保水ゲル２０の性質及びこの保水ゲル２０に混入させる各種の物質を考慮して、透光性又は遮光性等の特性をもつ材質を適宜選択して用いるようにする。
【００３３】
さらに、上記の容器本体１０は、単一の樹脂で構成されたものであっても、また複数の樹脂層のラミネート体や、樹脂層と金属層その他の層とのラミネート体であっても良い。
【００３４】
ここで、上記の容器本体１０が、単一の樹脂から形成されかつ透光性を要する場合には、ポリプロピレン、ポリエチレンテレフタレート、ポリスチレン等の熱可塑性樹脂が好ましいものとして挙げられる。一方、遮光性を要する場合には、上記樹脂層にアルミ箔をラミネートしたラミネート体が好ましいものとして挙げられる。しかし、これらに限定されるものでもない。
【００３５】
また、容器本体１０の肉厚は、携帯時、流通時、保存時等に加わる力に耐える機械的強度を有するように設定され、例えば、射出成形による場合には、３０〜１０００μｍが好ましく、１００〜５００μｍがさらに好ましい範囲として挙げられるが、これも限定されるものではない。
【００３６】
また、この容器本体１０に設ける収容凹部１１は、上記のように保水ゲル２０や支持シート３０を収容できる形状であればどのような形状であっても良いが、一般的には、保水ゲル２０を平坦な状態で収容できるものが好ましい。また、この収容凹部１１の平面形状もどのようなものであってもよく、例えば、一般的な矩形の他、ある種の形象やキャラクタを象ったもの等が挙げられる。
【００３７】
また、上記の保水ゲル２０は、水溶性高分子及び水を含んでゲル化するゲル組成物で構成されるが、このゲル組成物は、架橋剤、増粘剤、ゲル化剤等の添加物を必要としてゲル化するものであっても、またこのような添加物を用いなくてゲル化するものであってもよい。
【００３８】
また、上記の保水ゲル２０は、水分量が少なくとも３０重量％以上含まれるように調製されることが好ましく、水溶性高分子や架橋剤その他の添加物を適宜選択することにより最高９５重量％まで含有させることが可能である。
【００３９】
そして、保水ゲル２０に用いる水溶性高分子としては、ポリアクリル酸、ポリアクリル酸の塩類、ポリアクリル酸の部分中和物、ポリグルタミン酸、ポリグルタミン酸の塩類、ポリグルタミン酸の部分中和物、ポリビニルアルコール、ゼラチン、カルボキシメチルセルロースナトリウム、カラギーナン、ペクチン、ローカストビーンガム、キサンタンガム、ジェランガム、アーネストガム、アガロース、アルギン酸、アルギン酸の塩類、カルボキシビニルポリマー、グラフト澱粉からなる群から選択される１つ又は２つ以上の混合物を用いることができるが、特に、これらに限定されるものではない。
【００４０】
ここで、上記の水溶性高分子は１種で用いられてもよいが、数種混合して用いる方が、保水・粘着力等の点から好ましく、例えば、ポリアクリル酸とポリアクリル酸ナトリウムとから選択される少なくとも１種と、カルボキシビニルポリマーとの混合物を用いることが好ましく、より好ましくは、ポリアクリル酸の部分中和物と、カルボキシビニルポリマーとの混合物を用いるようにする。
【００４１】
また、上記の携帯型パッド材においては、上記の支持シート３０がいわゆる固定部材としても機能するので、保水ゲル２０がそれ程強力な粘着性を有していなくてもよく、従って、カラギーナン、ゼラチン、ペクチン、ローカストビーンガム、キサンタンガム、ジェランガム、アーネストガム、アガロース等の天然水溶性高分子を適宜組み合わせて構成される高水分含量の保水ゲル２０であってもよい。
【００４２】
また、上記の保水ゲル２０に、アロマオイルや薬理活性物質を含有させることができる。そして、このように保水ゲル２０にアロマオイルや薬理活性物質を含有させると、保水ゲル２０からこれらの物質が身体の貼付部位Ｐに徐々に伝わり、保冷・保湿効果と共に、これらの物質による効果も得られるようになる。
【００４３】
ここで、上記のアロマオイルとしては、一般にアロマテラピーに用いられる精油成分（精油類）をそのまま用いることができる。この精油成分としては、例えばワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物を挙げることができるが、別段これらに限定されない。
【００４４】
また、薬理活性物質としては、上記のアロマオイルと重なってもよく、例えばメントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ類、水溶性アズレン、アクリノール等が挙げられる。
【００４５】
また、上記の保水ゲル２０においては、含水量を増量させたり、保水ゲル２０の内部での液体の移動を容易にしたり、貼付部位Ｐに液体の放散を促進する等の目的で、図４に示すように、少なくとも表面が親水性を有する繊維２１を保水ゲル２０の内部に分散させ、またこの繊維２１の一部を保水ゲル２０の表面に露出させるようにすることが好ましい。
【００４６】
ここで、上記の繊維２１としては、例えば、パルプ、木綿糸、レーヨンその他の各種親水性樹脂繊維の他、疎水性樹脂繊維の表面を親水性処理したもの等を用いることができるが、これらに限定されない。
【００４７】
また、上記の繊維２１は、保水ゲル２０内において三次元的に絡み合うように分散させることが好ましい。
【００４８】
さらに、上記の保水ゲル２０に、吸水性ポリマーや、水に溶解して吸熱する化合物や、揮散して冷却・保冷効果を高める低級アルコール，メントール，ハッカ油や、グリセリン，ポリエチレングリコール，ソルビトール等の公知の保湿剤を含有させることも可能である。
【００４９】
なお、上記の保水ゲル２０は、通常はｐＨを４〜１０の範囲に調節し、皮膚の冷感と剥離後の爽快感とが得られるようにするためには、ｐＨ５〜９の範囲、より好ましくはｐＨ６〜８の範囲に調整する。
【００５０】
また、上記の保水ゲル２０を、図５に示すように、２つのゲル層２２，２３を積層させた構造にし、各ゲル層２２，２３に含有させる物質を異ならせて、それぞれの物質による効果が順次発揮されるようにすることも可能である。
【００５１】
また、上記の支持シート３０に保水ゲル２０を保持させるため、この支持シート３０を、保水ゲル２０がゲル化される際に浸透してアンカー効果を奏するような材質で構成することが好ましく、例えば、不織布や、ニードリングさせて表面を毛羽立たせた布帛等を用いることが好ましいが、特に、これらに限定されるものでもない。
【００５２】
また、この実施形態においては、前記のように支持シート３０の長辺部を保水ゲル２０の長辺部より長くし、この支持シート３０を保水ゲル２０の上面に設けて、この支持シート３０の長辺側の両側部を上方に折り返すようにしただけであるが、図６に示すように、支持シート３０の長辺部を保水ゲル２０の長辺部より長くすると共に、この支持シート３０に保水ゲル２０のそれぞれの長辺部よりも短辺側の外方に突出する各突出部３０ａを設け、図７に示すように、各突出部３０ａを支持シート３０の長辺側の両側部と同様に上方に折り返ようにし、このように折り返された各突出部３０ａの端部の上面側にそれぞれ固定用粘着層３１を設けると共に、各固定用粘着層３１に剥離可能なライナ３２を設けることも可能である。
【００５３】
そして、このように支持シート３０の長辺部を保水ゲル２０の長辺部より長くすると共に、この支持シート３０に保水ゲル２０のそれぞれの長辺部よりも短辺側の外方に突出する各突出部３０ａを設けると、前記のように保水ゲル２０を貼付部位Ｐに付着させると共に、この支持シート３０の両端部及び各突出部３０ａにおける各固定用粘着層３１をそれぞれ貼付部位Ｐに接着させることができ、保水ゲル２０がこの支持シート３０によって貼付部位Ｐにさらに確実に固定されるようになる。
【００５４】
また、この実施形態における携帯型パッド材においては、保水ゲル２０を使用するにあたり、上記のように支持シート３０に設けられた固定用粘着層３１を貼付部位Ｐに接着させて、保水ゲル２０がこの支持シート３０により貼付部位Ｐに固定されるようにしたが、支持シート３０により保水ゲル２０を貼付部位Ｐに固定させる方法は、特にこのようなものに限定されるものではない。
【００５５】
例えば、図８に示すように、長辺部の長さがさらに長くなった支持シート３０を用い、この支持シート３０を収容凹部１１の開口側における保水ゲル２０の上面に設け、支持シート３０の長辺側の両側部を上方に折り返した場合に、それぞれの端部が反対側の折り返し部分まで達するようにすると共に、一方の端部の上面と他方の端部の下面とにそれぞれ面接合ファスナー３３を設けるようにすることも可能である。
【００５６】
そして、このような携帯型パッド材において、保水ゲル２０を使用するにあたっては、前記のように保水ゲル２０を収容凹部１１内から取り出し、図９に示すように、保水ゲル２０を貼付部位Ｐに付着させると共に、上記のように長くなった支持シート３０を貼付部位Ｐに巻き付け、この支持シート３０のそれぞれの端部に設けられた面接合ファスナー３３相互を接合させて、この支持シート３０により保水ゲル２０を貼付部位Ｐに固定させることができる。
【００５７】
また、この実施形態における携帯型パッド材においては、容器本体１０の収容凹部１１内に保水ゲル２０と支持シート３０とを収容させた状態で、気密フィルムからなる蓋材４０を収容凹部１１の開口の周囲に設けられた鍔部１２に取り付けて、収容凹部１１の開口をこの蓋材４０によって密封させるようにしたが、蓋材４０によって収容凹部１１の開口を密封させる方法は、特にこのようなものに限定されるものではない。
【００５８】
例えば、図１０に示すように、容器本体１０における収容凹部１１の開口された上面部分に対応した嵌め込み部４１を有する蓋材４０を用い、この蓋材４０における嵌め込み部４１を上記の収容凹部１１内に嵌め込んで、収容凹部１１の開口をこの蓋材４０によって密封させるようにしたり、さらに図１１に示すように、上記のような嵌め込み部４１を有する蓋材４０をヒンジ部４２を介して容器本体１０に取り付けるようにすることも可能である。
【００５９】
（実施形態２）
この実施形態２における携帯型パッド材においては、図１２に示すように、上記の実施形態１の携帯型パッド材と同様に、上面が開口された収容凹部１１の周囲に鍔部１２が設けられた容器本体１０を用いている。
【００６０】
そして、この実施形態２における携帯型パッド材においては、支持シート３０を上記の容器本体１０における収容凹部１１内の底部に敷設すると共に、この支持シート３０の長辺側の両側部を収容凹部１１の開口部分を越えて延出させ、このように支持シート３０が敷設された容器本体１０の収容凹部１１内に水溶性高分子及び水を含んでゲル化される保水ゲル２０を収容させるようにしている。
【００６１】
そして、上記のように収容凹部１１の開口部分を越えて延出された支持シート３０の長辺側の両側部をそれぞれ保水ゲル２０の上面において折り曲げるようにすると共に、このように折り曲げられて保水ゲル２０の上面と接する支持シート３０の両端部にそれぞれ固定用粘着層３１を設けると共に、各固定用粘着層３１に剥離可能なライナ３２を設けている。
【００６２】
ここで、このように各固定用粘着層３１に剥離可能なライナ３２を設けると、支持シート３０の長辺側の両側部を保水ゲル２０の上面に折り曲げた場合において、支持シート３０の両端部における固定用粘着層３１が保水ゲル２０と接触してその粘着性が低下するのが防止される。
【００６３】
そして、上記のように支持シート３０の長辺側の両側部をそれぞれ保水ゲル２０の上面において折り曲げ、容器本体１０の収容凹部１１内に保水ゲル２０と支持シート３０とを収容させた後は、上記の実施形態１の携帯型パッド材の場合と同様に、気密フィルムからなる蓋材４０を収容凹部１１の開口の周囲に設けられた鍔部１２に取り付け、この蓋材４０によって収容凹部１１の開口を密封させるようにする。
【００６４】
このようにすると、上記の実施形態１の携帯型パッド材の場合と同様に、保水ゲル２０における水分等が外部に放出されるのが防止される。
【００６５】
また、このように容器本体１０の収容凹部１１内に収容させた保水ゲル２０を使用する場合においては、気密フィルムからなる蓋材４０を鍔部１２から剥離させて容器本体１０の収容凹部１１を開口させ、保水ゲル２０の上面において折り曲げた支持シート３０を持って、この保水ゲル２０を収容凹部１１内から取り出すようにする。
【００６６】
その後は、上記の実施形態１の携帯型パッド材の場合と同様に、保水ゲル２０を貼付部位Ｐに付着させると共に、上記の支持シート３０の両端部における固定用粘着層３１に取り付けられたライナ３２を剥離させ、この支持シート３０の両端部における固定用粘着層３１を貼付部位Ｐに接着させるようにする。
【００６７】
このようにすると、上記の実施形態１の携帯型パッド材の場合と同様に、保水ゲル２０の量を多くした場合においても、この保水ゲル２０が上記の支持シート３０によって貼付部位Ｐに確実に固定されるようになる。
【００６８】
ここで、この実施形態２における携帯型パッド材において、上記の支持シート３０の長辺部の長さをさらに長くし、その両側部をそれぞれ保水ゲル２０の上面において折り曲げて、容器本体１０の収容凹部１１内に収容させるにあたっては、図１３に示すように、上記のように保水ゲル２０の上面に折り曲げた支持シート３０の両側部をそれぞれ上方に折り返すようにすることができる。
【００６９】
さらに、この実施形態２における携帯型パッド材においても、上記の実施形態１の携帯型パッド材の場合と同様の様々な変更を行うことができる。
【００７０】
【発明の効果】
以上詳述したように、本願の請求項１，２における各携帯型パッド材においては、水溶性高分子及び水を含んでゲル化する保水ゲルを、上記の容器本体の収容凹部内に充填させてゲル化させるようにしたため、この収容凹部の深さを調節することにより所望の厚さの保水ゲルが得られるようになり、長時間使用できるように保水ゲルの量を多くすることも簡単に行えるようになった。
【００７１】
また、この請求項１における携帯型パッド材においては、支持シートを収容凹部の開口側における保水ゲルの上面に設けると共に、この支持シートを保水ゲルの上面において折り返すようにしたため、この支持シートを持って保水ゲルを容器本体の収容凹部内から簡単に取り出すことができると共に、折り返す部分の長さを調整することによって支持シートの大きさを調整することができ、支持シートを大きくするために、容器本体を大きくする必要がなく、製造コストが低減されると共に、携帯や保管も簡単に行えるようになった。
【００７２】
また、本願の請求項２における携帯型パッド材においては、支持シートを収容凹部内の底部から開口側における保水ゲルの上面に至るように設けているため、保水ゲルの上面に導かれた支持シートを持って保水ゲルを容器本体の収容凹部内から簡単に取り出すことができると共に、保水ゲルの上面に導かれる支持シートの長さを調整することによって、支持シートの大きさを調整することができ、支持シートを大きくするために、容器本体を大きくする必要がなく、製造コストが低減されると共に、携帯や保管も簡単に行えるようになった。
【００７３】
さらに、請求項１，２における各携帯型パッド材において、上記のように支持シートを大きくすると、貼付部位にこの支持シートを巻き付けて、支持シートの端部相互を係止させるようにしたり、またこの支持シートの外縁部に設ける固定用粘着層を大きくして貼付部位に接着させることができ、保水ゲルの量が多い場合においても、この保水ゲルが支持シートによって貼付部位に確実に固定されるようになった。
【図面の簡単な説明】
【図１】  本発明の実施形態１における携帯型パッド材の概略断面図である。
【図２】  上記の実施形態１における携帯型パッド材において、蓋材を取り外して容器本体における収容凹部を開口させた状態を示した概略平面図である。
【図３】  上記の実施形態１における携帯型パッド材において、保水パッドを支持シートにより貼付部位に取り付けた状態を示した概略説明図である。
【図４】  上記の実施形態１の携帯型パッド材に用いる保水ゲルを変更させた第１の変更例に係る携帯型パッド材の概略断面図である。
【図５】  上記の実施形態１の携帯型パッド材に用いる保水ゲルを変更させた第２の変更例に係る携帯型パッド材の概略断面図である。
【図６】  上記の実施形態１の携帯型パッド材に用いる支持シートを変更させた第３の変更例において、支持シートに保水ゲルを保持させた状態を示した概略斜視図である。
【図７】  上記の第３の変更例において、容器本体の収容凹部内に保水ゲルと支持シートとを収容させた状態を示した概略平面図である。
【図８】  上記の実施形態１における携帯型パッド材に用いる支持シートを変更させた第４の変更例に係る携帯型パッド材の概略断面図である。
【図９】  上記の第４の変更例において、支持シートにより保水ゲルを貼付部位に固定させる状態を示した概略説明図である。
【図１０】  上記の実施形態１の携帯型パッド材に用いる蓋材を変更させた第５の変更例に係る携帯型パッド材の概略断面図である。
【図１１】  上記の実施形態１の携帯型パッド材に用いる蓋材を変更させた第６の変更例に係る携帯型パッド材の概略断面図である。
【図１２】  本発明の実施形態２における携帯型パッド材の概略断面図である。
【図１３】  上記の実施形態２の携帯型パッド材に用いる支持シートを変更させた携帯型パッド材の概略断面図である。
【符号の説明】
１０  容器本体
１１  収容凹部
１２  鍔部
２０  保水ゲル
３０  支持シート
３１  固定用粘着層
３２  ライナ
【図１】
0004054204.tif 000002
【図２】
0004054204.tif 000003
【図３】
0004054204.tif 000004
【図４】
0004054204.tif 000005
【図５】
0004054204.tif 000006
【図６】
0004054204.tif 000007
【図７】
0004054204.tif 000008
【図８】
0004054204.tif 000009
【図９】
0004054204.tif 000010
【図１０】
0004054204.tif 000011
【図１１】
0004054204.tif 000012
【図１２】
0004054204.tif 000013
【図１３】
0004054204.tif 000014